(57)【要約】【課題】液晶セルの端部からの光の漏れを抑制する液晶表示装置を提供する。【解決手段】液晶セル１１の裏面側に導光板２１を配設する。表側を露出させてフレーム１内に液晶セル１１を収容する。液晶セル１１の裏面側の縁部から液晶セル１１の端部までを遮光テープ１６で覆う。液晶セル１１の端部から透過する光Ｌを遮光テープ１６が遮光する。液晶セル１１の端部を透過してフレーム１で反射して液晶セル１１の表面側に照射する光Ｌを抑制できる。液晶セル１１の端部からの光Ｌの漏れを抑制できる。【選択図】　　　　図１
2004029319.tif 000002
【特許請求の範囲】
【請求項１】
透光性を有する平面表示セルと、
この平面表示セルの表面側を露出させて収容させるフレームと、
前記平面表示セルの裏面側に配設されて前記フレームに収容され、前記平面表示セルへと光を照射させる面光源部と、
前記平面表示セルの裏面側の縁部からこの平面表示セルの端部までを覆い、この平面表示セルの端部を透過する光を遮光する遮光体と
を具備したことを特徴とした平面表示装置。
【請求項２】
透光性を有する平面表示セルと、
この平面表示セルの表面側を露出させて収容させるフレームと、
前記平面表示セルの裏面側に配設されて前記フレームに収容され、前記平面表示セルへと光を照射させる面光源部と、
この面光源部、前記平面表示セルおよび前記フレーム間に形成される経路中の少なくとも前記フレームの主面に配設され、前記平面表示セルの端部を透過する光を遮光する遮光体と
を具備したことを特徴とした平面表示装置。
【発明の詳細な説明】
【０００１】
【発明の属する技術分野】
本発明は、面光源部からの光に基づいて平面表示セルに画像を表示させる平面表示装置に関する。
【０００２】
【従来の技術】
従来、この種の平面表示装置としての液晶表示装置は、平面視口字枠状の樹脂製であるフレームを有しており、このフレームの中央部には、矩形状の開口部が形成されている。そして、このフレームには、このフレームの外側を覆うように、このフレームと同様の平面視口字枠状のベゼルが取り付けられている。このベゼルは、各辺の断面がＬ字状に形成されており、中央部に略矩形状の表示窓が開口されている。
【０００３】
さらに、このベゼルには、このベゼルの表示窓から平面表示セルとしての略矩形平板状の液晶セルが露出されて内側に収容されている。この液晶セルは、例えば透光性を有しており、この液晶セルの裏面側には、この液晶セルへと面状の光を照射させる矩形平板状の面光源部としてのバックライトが取り付けられている。このバックライトは、液晶セルが収容されたベゼル内に、この液晶セルの裏面側に重ね合わせるように収容されている。
【０００４】
また、この液晶セルの面方向における端部には、この液晶セルの内部に液晶を注入させる液晶注入口が突出した状態で設けられている。そして、この液晶セルとバックライトとの間には、例えば矩形シート状のシート体としての光学シートが配設されており、この光学シートは、バックライトからの面状の光分布を拡散させ、あるいは集光して液晶セルの裏面側へと略均等に入射させる。
【０００５】
【発明が解決しようとする課題】
上述した液晶表示装置では、液晶セルに形成された液晶注入口が、この液晶セルの端面よりも突出しているので、この液晶注入口に対向したフレームの内側面を削る必要がある。そして、このフレームの内側面を削った場合には、その近傍にて液晶セルとフレームとの間の幅が広くなるので、バックライトから端部に向かう光が漏れて、この漏れた光がフレームやベゼルにて反射されて、ベゼルと液晶セルとの隙間や、液晶セルを介することにより、液晶セルからの光の漏出として目視されてしまう。
【０００６】
また、近年における液晶表示装置の小型化および軽量化の達成のための薄型化によって、ベゼルの表示窓の周縁が液晶セルの表面に取り付けられた偏光板の周縁まで掛からない構造、すなわち偏光板がベゼルの開口から完全に露出した構造とした場合には、液晶セルの端部からの光の漏れが、フレームやベゼルにて反射されて、液晶セルからの光の漏れとなり、光の漏れ不良が大変多くなるという問題を有している。
【０００７】
本発明は、このような点に鑑みなされたもので、平面表示セルからの光の漏れを抑制できる平面表示装置を提供することを目的とする。
【０００８】
【課題を解決するための手段】
本発明は、透光性を有する平面表示セルと、この平面表示セルの表面側を露出させて収容させるフレームと、前記平面表示セルの裏面側に配設されて前記フレームに収容され、前記平面表示セルへと光を照射させる面光源部と、前記平面表示セルの裏面側の縁部からこの平面表示セルの端部までを覆い、この平面表示セルの端部を透過する光を遮光する遮光体とを具備したものである。
【０００９】
そして、裏面側に面光源部が配設された平面表示セルの表側を露出させてフレームに収容させる。平面表示セルの裏面側の縁部からこの平面表示セルの端部までを遮光体で覆って、平面表示セルの端部を透過する光を遮光体で遮光する。平面表示セルの端部を透過してフレームにて反射されて平面表示セルの表面側へと照射される光を抑制できる。この平面表示セルからの光の漏れを抑制できる。
【００１０】
また、透光性を有する平面表示セルと、この平面表示セルの表面側を露出させて収容させるフレームと、前記平面表示セルの裏面側に配設されて前記フレームに収容され、前記平面表示セルへと光を照射させる面光源部と、この面光源部、前記平面表示セルおよび前記フレーム間に形成される経路中の少なくとも前記フレームの主面に配設され、前記平面表示セルの端部を透過する光を遮光する遮光体とを具備したものである。
【００１１】
そして、面光源部と平面表示セルとフレームとの間に形成される経路中の少なくともフレームの主面に遮光体を配設して、この遮光体により平面表示セルの端部を透過する光を遮光する。平面表示セルの端部を透過してフレームにて反射されて平面表示セルの表面側へと照射される光を抑制できる。この平面表示セルからの光の漏れを抑制できる。
【００１２】
【発明の実施の形態】
以下、本発明の平面表示装置としての液晶表示装置の第１の実施の形態を図１を参照して説明する。
【００１３】
図１において、１は樹脂製のフレームで、このフレーム１は、略矩形枠状に形成されている。また、このフレーム１の中央部には、矩形状の開口部２が形成されており、各辺の断面が矩形状に形成されている。さらに、このフレーム１の裏面部には、このフレーム１の周方向に沿った断面凹弧状の凹溝部３が設けられている。
【００１４】
また、フレーム１の裏面側の内周縁には、このフレーム１の面方向に沿って突出した保持片部６が、このフレーム１の内周縁に沿って設けられている。さらに、このフレーム１の表面側の内周縁には、このフレーム１の面方向に沿った段状の取付段部７が、このフレーム１の内周縁に沿って設けられている。
【００１５】
さらに、このフレーム１には、このフレーム１の外側である表面側、すなわち前側を覆うように、このフレーム１と略同様の略矩形枠状の金属製のベゼル８が取り付けられている。そして、このベゼル８は、各辺の断面がＬ字状に形成されており、このベゼル８の中央部には、矩形状の表示開口としての表示窓９が開口されている。さらに、このベゼル８の内側には、このベゼル８の表示窓９から平面表示セルとしての略矩形平板状の液晶セル１１の表示領域を露出させて、この液晶セル１１が収容されている。また、この液晶セル１１は、図１に示すように、透光性を有しており、フレーム１の取付段部７に周縁部が保持されて、このフレーム１内に収容されており、ベゼル８の内側面とフレーム１の取付段部７との間にて挟まれて保持されている。
【００１６】
ここで、この液晶セル１１は、図示しない表示画素電極がマトリクス状に形成された矩形平板状のアレイ基板１２を備えており、このアレイ基板１２に対向して矩形平板状の対向基板１３が取り付けられている。この対向基板１３は、アレイ基板１２に略等しい大きさに形成されている。さらに、これらアレイ基板１２と対向基板１３との間には、図示しない液晶が介挿されている。また、これらアレイ基板１２と対向基板１３とのそれぞれの外側面には、これらアレイ基板１２および対向基板１３よりも各辺の長さが短い矩形平板状の偏光板１４がそれぞれ取り付けられている。そして、これら各偏光板１４のそれぞれは、アレイ基板１２および対向基板１３のそれぞれの表面における中心部を覆うように取り付けられている。
【００１７】
また、図１に示すように、平面表示セルとしての液晶セル１１の周縁部におけるアレイ基板１２と対向基板１３との間には、入射する光を遮光するブラックマトリクス１５が配設されている。さらに、液晶セル１１の裏面側における周縁部には、入射する光Ｌの少なくとも一部を遮光する遮光体としてのテープ状の遮光テープ１６が貼り付けられて取り付けられている。
【００１８】
この遮光テープ１６は、断面がＬ字状となるように折り曲げられており、偏光板１４の周縁に位置する対向基板１３の表面の周縁に一側部が取り付けられている。また、この遮光テープ１６の他側部は、液晶セル１１の表面側に向けて直角に折曲されて、この液晶セル１１の対向基板１３およびアレイ基板１２それぞれの端面部を覆うように、これらアレイ基板１２および対向基板１３それぞれの端部に貼り付けられて取り付けられている。
【００１９】
さらに、ベゼル８内に収容させた液晶セル１１におけるこのベゼル８の表示窓９に対向した側である裏面側には、矩形平板状の面光源部を構成するアクリル製の導光板２１が取り付けられている。この導光板２１は、ベゼル８の取付段部７にて周縁が支持されており、液晶セル１１が収容されたベゼル８内に、この液晶セル１１の裏面側に表面側を重ね合わせるように収容されている。
【００２０】
また、この導光板２１は、液晶セル１１の裏面側に面状の光を照射させて、この液晶セル１１に表示される画像を目視可能とする。さらに、この導光板２１の裏面側および周縁のそれぞれには、反射シート２２が取り付けられている。この反射シート２２は、導光板２１の裏面および両端のそれぞれから出射する光を反射させて、再び液晶セル１１の裏面側へと略均等に入射させる。
【００２１】
さらに、この液晶セル１１の裏面側と導光板２１の表面側との間には、略矩形シート状のシート体としての光学シート２３が介在された状態で配設されている。この光学シート２３は、導光板２１からの面状の光分布を拡散させ、あるいは集光して液晶セル１１の裏面側へと略均等に入射させる。また、この光学シート２３は、図１に示すように、例えば１枚の拡散シート２４の表面側に２枚のプリズムシート２５が重ね合わされて構成されている。これら拡散シート２４および各プリズムシート２５のそれぞれは、互いに等しい形状に形成されており、反射シート２２の表面よりも小さな幅寸法を有している。
【００２２】
ここで、導光板２１へと光を入射させる図示しない光源と導光板２１と反射シート２２と光学シート２３とによりバックライト２０が構成されている。
【００２３】
次に、上記第１の実施の形態の作用を説明する。
【００２４】
まず、光源を点灯させて、この光源からの光が導光板２１へと入射されると、この光が導光板２１内を導光し、また反射シート２２にて反射などされてこの導光板２１の表面から出射され、光学シート２３を介して液晶セル１１へと射される。
【００２５】
このとき、この光学シート２３を透過する光は、この光学シート２３の拡散シート２４および各プリズムシート２５のそれぞれによって拡散あるいは集光されて液晶セル１１の裏面側へと略均等に入射される。
【００２６】
そして、この液晶セル１１の裏面側に入射された光によって、この液晶セル１１の表示領域に表示される画像が、この液晶セル１１の表面側から目視可能となる。
【００２７】
上述したように、上記第１の実施の形態によれば、液晶セル１１に不所望に入射する光Ｌを遮光する遮光テープ１６の一側部を、液晶セル１１の裏面側の偏光板１４よりも周縁に位置する対向基板１３の周縁に貼り付けるとともに、この遮光テープ１６の折り曲げた他側部を、液晶セル１１のアレイ基板１２および対向基板１３それぞれの端面部に貼り付けて、これら対向基板１３およびアレイ基板１２それぞれの端面部を覆う。
【００２８】
この結果、液晶セル１１の端部へと照射される図１に示す光Ｌを遮光テープ１６の他側部で遮光できる。よって、この液晶セル１１の端部を透過してフレーム１の取付段部７の内側面にて反射されてブラックマトリクス１５の隙間を透過してこの液晶セル１１の表面側へと照射される光Ｌ、すなわちベゼル８の表示窓９と液晶セル１１の表面側に位置する偏光板１４との間から光Ｌの透過を抑制できる。
【００２９】
このため、この液晶セル１１の表面における光漏れを十分に防止できる。また、液晶セル１１の表面における輝度むらを防止できるので、この液晶セル１１にて表示させる画像をより目視し易くできる。よって、使用者の使い勝手を向上できるとともに、光漏れ不良の発生を減少できる。
【００３０】
次に、本発明の第２の実施の形態を図２および図３を参照して説明する。
【００３１】
この図２および図３に示す液晶表示装置は、基本的には図１に示す液晶表示装置と同様であるが、入射する光Ｌの少なくとも一部を遮光する遮光体としての遮光部材３１をフレーム１の内側面に取り付けて、光学シート２３の面方向における端部を透過した光Ｌを遮光するものである。
【００３２】
そして、このフレーム１の外側面に凹溝部３が形成されており、このフレーム１の裏側内縁には、段状の保持段部３２が形成されている。この保持段部３２は、フレーム１の一側面の長手方向に沿って設けられている。
【００３３】
また、バックライト２０は、線状の光を照射させる線状光源である細長円筒状の線状光源体としてのランプ体としての直管状の放電ランプ３５を備えている。この放電ランプ３５の表側の外縁は、フレーム１の保持段部３２にて保持されている。そして、この放電ランプ３５の一側部には、略矩形平板状の面状光源変換体としての導光板２１の一端部側を向けるとともに、この一端部を近接させた状態で取り付けられている。
【００３４】
この導光板２１は、平面視四角形状のアクリル製であり、放電ランプ３５の軸方向に対して面方向を平行にした状態で配設されている。また、この導光板２１は、液晶セル１１の裏面側であるベゼル８の表示窓９に対向した側に位置するように配設されている。すなわち、この導光板２１は、放電ランプ３５からの線状の光を面状の光である面状光源に変換する。なお、この導光板２１の裏面側には、この導光板２１の裏面側で光の反射させる反射シート２２が設けられている。
【００３５】
さらに、この導光板２１の表面側におけるベゼル８の表示窓９に対向した部分、すなわちこの導光板２１の表側の周縁と裏側全体のそれぞれには、平板状のランプリフレクタ３６が湾曲されて取り付けられている。このランプリフレクタ３６は、放電ランプ３５を含んだ状態で、この放電ランプ３５の外周部を周方向に沿って覆っている。また、このランプリフレクタ３６は、放電ランプ３５からの光を反射させて導光板２１に入射させるとともに、この導光板２１を透過する光を反射させて液晶セル１１の裏面側へと入射させる。さらに、液晶セル１１の裏面側と導光板２１の表面側との間には、光学シート２３が介在された状態で配設されている。
【００３６】
一方、液晶セル１１の裏面側における周縁部には、入射する光Ｌの少なくとも一部を遮光する遮光体としての遮光シート３８が貼り付けられて取り付けられている。この遮光シート３８は、偏光板１４の周縁に位置する対向基板１３の表面の周縁と、光学シート２３の表面に位置するプリズムシート２５との間に配設されている。
【００３７】
さらに、遮光部材３１は、断面矩形状の細長角柱状に形成されており、光吸収性を有する、例えば黒色のゴムで構成されている。また、この遮光部材３１は、図２に示すように、光学シート２３の端部と液晶セル１１の端部とフレーム１の内側面とベゼル８の内側面とのそれぞれにて形成される空間に存在する光経路４１内に配設され、フレーム１主面での反射光を抑えるとともに、光経路４１自体を小さくするよう、十分な厚さに選定されている。具体的に、この遮光部材３１は、フレーム１の保持段部３２にて保持されて、このフレーム１の内側面に沿って取り付けられている。すなわち、この遮光部材３１は、光学シート２３の端部あるいは液晶セル１１の端部を透過して光経路４１内へと入射する光Ｌが照射する位置に取り付けられており、この光Ｌの少なくとも一部を遮光する。
【００３８】
したがって、この図２および図３に示す液晶表示装置は、バックライト２０の放電ランプ３５からの線状の光を導光板２１にて面状に変換して、この面状の光を光学シート２３を介して液晶セル１１の裏面側に入射させた際に生じる、これら光学シート２３の端部あるいは液晶セル１１の端部などから透過してフレーム１内の光経路４１内へと入射した光Ｌが入射するフレーム１の内側面に遮光部材３１を取り付けて、この光経路４１内に入射した光Ｌを遮光部材３１へと入射させて遮光させるので、図１に示す液晶表示装置と同様の作用効果を奏することができる。
【００３９】
なお、上記第２の実施の形態では、フレーム１の内側面に遮光部材３１を取り付けたが、光学シート２３あるいは液晶セル１１の端部からの光Ｌの漏れを遮光できる位置であれば、これら光学シート２３あるいは液晶セル１１の端部からの光Ｌの漏れが生じるおそれのある光経路４１内のいずれの位置、例えば光学シート２３の端部などに遮光部材３１を取り付けても上記第２の実施の形態と同様の作用効果を奏することができる。
【００４０】
また、上記各実施の形態では、光学シート２３あるいは液晶セル１１の端部からの光Ｌを、遮光テープ１６あるいは遮光部材３１および遮光シート３８による遮光にて遮光させたが、これら遮光テープ１６、遮光部材３１および遮光シート３８を、光学シート２３あるいは液晶セル１１の端部からの光Ｌを十分に吸収する低反射部材や、これら光学シート２３あるいは液晶セル１１の端部からの光Ｌを吸収する光吸収部材などとして、これら光学シート２３あるいは液晶セル１１の端部からの光Ｌの少なくとも一部を遮光できれば、どのような構成であってもよい。
【００４１】
さらに、液晶セル１１にて映像を表示させる液晶表示装置について説明したが、液晶セル１１以外の透光性を有する平面表示セルによる平面表示装置であっても対応させて用いることができる。
【００４２】
【発明の効果】
本発明によれば、平面表示セルの裏面側の縁部からこの平面表示セルの端部までを遮光体で覆って、平面表示セルの端部を透過する光を遮光体にて遮光させれば、平面表示セルの端部を透過してフレームにて反射されて平面表示セルの表面側へと照射される光を抑制できるから、この平面表示セルからの光の漏れを抑制できる。
【００４３】
また、面光源部と平面表示セルとフレームとの間に形成される経路中の少なくともフレームの主面に遮光体を配設して、この遮光体で平面表示セルの端部を透過する光を遮光させれば、この平面表示セルの端部を透過してフレームにて反射されて平面表示セルの表面側へと照射される光を抑制できるから、この平面表示セルからの光の漏れを抑制できる。
【図面の簡単な説明】
【図１】本発明の平面表示装置の第１の実施の形態の一部を示す説明断面図である。
【図２】本発明の第２の実施の形態の平面表示装置の一部を示す説明断面図である。
【図３】同上平面表示装置の一部を示す正面図である。
【符号の説明】
１　　フレーム
１１　　平面表示セルとしての液晶セル
１６　　遮光体としての遮光テープ
２１　　面光源部としての導光板
３１　　遮光体としての遮光部材
４１　　経路としての光経路
Ｌ　　光
【図１】
2004029319.tif 000003
【図２】
2004029319.tif 000004
【図３】
2004029319.tif 000005